(57)【要約】  ナビゲーション装置は、自車両を中心とした地図、表示部の縦の長さよりも大きな直径を有する円弧、及び円弧上に配置された複数のＰＯＩアイコンをそれぞれ重ねて表示する第１画面と、第１画面において、円弧に対する回転操作を受け付けた場合には、第１画面において円弧上に配置されたＰＯＩアイコンを回転表示させる第２画面と、第１画面において、円弧上に配置されたＰＯＩアイコンに対する選択操作を受け付けた場合には、第１画面において、選択されたＰＯＩアイコンが示す施設を円弧内の地図から検索し、円弧内の地図上の該当する場所に選択されたＰＯＩアイコンを表示する第３画面と、第３画面において、円弧内の地図上に表示されたＰＯＩアイコンのひとつに対する選択操作を受け付けた場合には、第３画面において、選択されたひとつのＰＯＩアイコンが示す施設に関する情報を表示する第４画面と、を有する。
2010146685.tif 000002
【特許請求の範囲】
【請求項１】
タッチパネルを備えた横長矩形の表示部にナビゲーション情報を表示するナビゲーション装置であって、
前記タッチパネルを介して所定操作を受け付けた場合には、自車両を中心とした地図、前記自車両を中心とした、前記表示部の縦の長さよりも大きな直径を有する円弧、及び前記円弧上に配置された１又は複数のＰＯＩアイコンをそれぞれ重ねて表示する第１画面を前記表示部に表示する第１の表示制御手段と、
前記第１画面において、前記タッチパネルを介して前記円弧に対する回転操作を受け付けた場合には、前記第１画面において前記円弧上に配置されたＰＯＩアイコンを回転表示させる第２画面を前記表示部に表示する第２の表示制御手段と、
前記第１画面において、前記円弧上に配置されたＰＯＩアイコンに対する選択操作を受け付けた場合には、前記第１画面において、選択されたＰＯＩアイコンが示す施設を前記円弧内の地図から検索し、前記円弧内の地図上の該当する場所に、選択されたＰＯＩアイコンを表示する第３画面を表示する第３の表示制御手段と、
前記第３画面において、前記タッチパネルを介して前記円弧内の地図上に表示されたＰＯＩアイコンのひとつに対する選択操作を受け付けた場合には、前記第３画面において、選択されたひとつのＰＯＩアイコンが示す施設に関する情報を表示する第４画面を前記表示部に表示する第４の表示制御手段と、
を有するナビゲーション装置。
【請求項２】
前記第３の表示制御手段は、
前記第３画面において、前記タッチパネルを介して表示されている地図の縮尺変更の操作を受け付けた場合には、変更された縮尺で前記自車両を中心とした地図を再表示し、前記選択されたＰＯＩアイコンが示す施設を前記円弧内の地図から再検索し、前記円弧内の地図上の該当する場所に、選択されたＰＯＩアイコンを表示する、新たな前記第３画面を表示することを特徴とする請求項１記載のナビゲーション装置。
【請求項３】
前記第１画面において、前記タッチパネルを介してＰＯＩアイコン設定操作を受け付けた場合には、前記自車両を中心とした地図、前記自車両を中心とした楕円、及び前記楕円上に配置された１又は複数のＰＯＩアイコンをそれぞれ重ねて表示する第５画面を前記表示部の一方に、スクロール可能なＰＯＩアイコンの一覧リストを表示する第６画面を前記表示部の他方に表示する第５の表示制御手段と、
前記タッチパネルを介して、前記第５画面の楕円と前記第６画面の一覧リストとの間のドラッグ操作を受け付けた場合には、前記第５画面において、前記一覧リストから前記楕円までドラッグ操作を受けたＰＯＩアイコンを前記楕円上に追加し、前記楕円から前記一覧リストまでドラッグ操作を受けたＰＯＩアイコンを前記楕円上から削除して表示する第６の表示制御手段と、
を有することを特徴とする請求項１又は２記載のナビゲーション装置。
【請求項４】
前記第１の表示制御手段、前記第２の表示制御手段、前記第３の表示制御手段、及び前記第４の表示制御手段は、それぞれ
前記円弧内に表示される地図を明るく表示し、前記円弧外に表示される地図を暗く表示することを特徴とする請求項１乃至３のいずれか１項に記載のナビゲーション装置。
【請求項５】
前記第４の表示制御手段は、
前記第４画面において、前記タッチパネルを介してルート情報提供の操作を受け付けた場合には、前記自車両を中心とした地図上に、前記自車両の位置から前記選択されたひとつのＰＯＩアイコンが示す施設までのルート情報を表示する第７画面を前記表示部に表示することを特徴とする請求項１乃至４のいずれか１項に記載のナビゲーション装置。
【発明の詳細な説明】
【技術分野】
【０００１】
本発明は、ＰＯＩ（point of interest；関心地点）アイコンを地図上に表示するナビゲーション装置に関する。
【背景技術】
【０００２】
従来、施設ごとに異なるＰＯＩアイコンを地図上に表示するナビゲーション装置が広く知られている。【０００３】
例えば、特許文献１には、図形種別選択メニュー画面を開いて、各アイコンを表示するか否かの選択を行うことにより、所望のＰＯＩアイコンを地図上に表示するナビゲーション装置が開示されている（図７参照）。また、特許文献２には、階層的な検索メニューを遷移させることにより、所望のＰＯＩに関する情報を提供するナビゲーション装置が開示されている（図５〜図７）。
【先行技術文献】
【特許文献】
【０００４】
【特許文献１】特開２００３−２１４８８０号公報
【特許文献２】特開２００６−３１３１５６号公報
【発明の概要】
【発明が解決しようとする課題】
【０００５】
上述したように、従来においては、ユーザが所望のＰＯＩアイコンを地図上に表示するか否かの設定を行うには、一旦、地図を閉じて、新たなメニュー画面を開かなければならない。また、ユーザが所望のＰＯＩに関する情報を得るには、一旦、地図を閉じて、新たなメニュー画面を開かなければならない。さらには、ＰＯＩ情報を得るためのメニュー画面は階層的となっているため、所望のＰＯＩ情報を得るには何回もの操作指示が必要となる。【０００６】
本発明は、上記の事情を鑑みてなされたものであり、その課題の一例としては、地図を閉じることなく、また、新たにメニュー画面を開くことなく、所望のＰＯＩに関する情報を表示させることができるナビゲーション装置を提供することにある。
【課題を解決するための手段】
【０００７】
上記の課題を達成するため、本発明の第１の態様は、タッチパネルを備えた横長矩形の表示部にナビゲーション情報を表示するナビゲーション装置であって、前記タッチパネルを介して所定操作を受け付けた場合には、自車両を中心とした地図、前記自車両を中心とした、前記表示部の縦の長さよりも大きな直径を有する円弧、及び前記円弧上に配置された１又は複数のＰＯＩアイコンをそれぞれ重ねて表示する第１画面を前記表示部に表示する第１の表示制御手段と、前記第１画面において、前記タッチパネルを介して前記円弧に対する回転操作を受け付けた場合には、前記第１画面において前記円弧上に配置されたＰＯＩアイコンを回転表示させる第２画面を前記表示部に表示する第２の表示制御手段と、前記第１画面において、前記円弧上に配置されたＰＯＩアイコンに対する選択操作を受け付けた場合には、前記第１画面において、選択されたＰＯＩアイコンが示す施設を前記円弧内の地図から検索し、前記円弧内の地図上の該当する場所に、選択されたＰＯＩアイコンを表示する第３画面を表示する第３の表示制御手段と、前記第３画面において、前記タッチパネルを介して前記円弧内の地図上に表示されたＰＯＩアイコンのひとつに対する選択操作を受け付けた場合には、前記第３画面において、選択されたひとつのＰＯＩアイコンが示す施設に関する情報を表示する第４画面を前記表示部に表示する第４の表示制御手段と、を有する。
【図面の簡単な説明】
【０００８】
【図１】本発明の実施の形態に係るナビゲーション装置の概略構成図である。
【図２】図３とともに、本発明の実施の形態に係るナビゲーション装置のＰＯＩアイコンに関する設定・選択・検索処理の流れを示すフローチャートである。
【図３】図２とともに、本発明の実施の形態に係るナビゲーション装置のＰＯＩアイコンに関する設定・選択・検索処理の流れを示すフローチャートである。
【図４】図２のステップＳ５０のＰＯＩアイコン設定処理の流れを詳しく示すフローチャートである。
【図５】本発明の実施の形態に係るナビゲーション装置の表示部に表示されるナビゲーション画面である。
【図６】本発明の実施の形態に係るナビゲーション装置の表示部に表示されるナビゲーション画面である。
【図７】本発明の実施の形態に係るナビゲーション装置の表示部に表示されるナビゲーション画面である。
【図８】本発明の実施の形態に係るナビゲーション装置の表示部に表示されるナビゲーション画面である。
【図９】本発明の実施の形態に係るナビゲーション装置の表示部に表示されるナビゲーション画面である。
【図１０】本発明の実施の形態に係るナビゲーション装置の表示部に表示されるナビゲーション画面である。
【図１１】本発明の実施の形態に係るナビゲーション装置の表示部に表示されるナビゲーション画面である。
【図１２】本発明の実施の形態に係るナビゲーション装置の表示部に表示されるナビゲーション画面である。
【図１３】本発明の実施の形態に係るナビゲーション装置の表示部に表示されるナビゲーション画面である。
【図１４】本発明の実施の形態に係るナビゲーション装置の表示部に表示されるナビゲーション画面である。
【図１５】本発明の実施の形態に係るナビゲーション装置の表示部に表示されるナビゲーション画面である。
【図１６】本発明の実施の形態に係るナビゲーション装置の表示部に表示されるナビゲーション画面である。
【図１７】本発明の実施の形態に係るナビゲーション装置の表示部に表示されるナビゲーション画面である。
【図１８】本発明の実施の形態に係るナビゲーション装置の表示部に表示されるナビゲーション画面である。
【図１９】本発明の実施の形態に係るナビゲーション装置の表示部に表示されるナビゲーション画面である。
【図２０】本発明の実施の形態に係るナビゲーション装置の表示部に表示されるナビゲーション画面である。
【図２１】本発明の実施の形態に係るナビゲーション装置の表示部に表示されるナビゲーション画面である。
【図２２】本発明の実施の形態に係るナビゲーション装置の表示部に表示されるナビゲーション画面である。
【図２３】本発明の実施の形態に係るナビゲーション装置の表示部に表示されるナビゲーション画面である。
【図２４】本発明の実施の形態に係るナビゲーション装置の表示部に表示されるナビゲーション画面である。
【発明を実施するための形態】
【０００９】
以下、本発明の実施の形態を図面を用いて説明する。
【００１０】
図１は、本発明の実施の形態に係るナビゲーション装置１の概略構成図である。ナビゲーション装置１は、車載ナビゲーション装置であり、図１に示すように、表示部２、音声出力部３、地図データベース（以下、地図ＤＢと称する）４、入力部５、現在地検出部６、及び制御部７を備えている。
【００１１】
表示部２は、具体的には、カラー液晶表示装置（ＬＣＤ）等のディスプレイから構成される出力インターフェースであり、ナビゲーション画像を表示するユニットである。
【００１２】
音声出力部３は、具体的には、スピーカから構成され、ユーザへのメッセージを出力する。
【００１３】
地図ＤＢ４は、表示部２に地図を描画するためのデータが格納されている。具体的には、地図上の区画領域であるメッシュごとに、地図を構成している、道路や施設などの座標位置や形状に関するデータが格納されている。また、縮尺に応じた描画データが格納されている。
【００１４】
入力部５は、具体的には、表示部２の画像表示面上に配置されたタッチパネル５１から構成され、表示部２に表示された操作情報（ナビゲーション画像、操作ボタンやアイコン等）に触れることで、ユーザからの指示が入力可能な入力インターフェースである。
【００１５】
現在地検出部６は、自車両の現在地を検出する装置であり、具体的には、自車両の進行方向を検出するジャイロセンサ６１、車速を検出する車速センサ６２、ＧＰＳ衛星からＧＰＳ信号を検出するＧＰＳセンサ６３などから構成される。ナビゲーション装置１は、この現在地検出部６が検出した自車両の現在地に基づいて、自車両近傍の地図情報、施設情報、目的地までのルート情報などを提供する。
【００１６】
制御部７は、具体的には、ＣＰＵ、ＲＯＭ、ＲＡＭなどから構成され、ナビゲーション装置１全体の制御を行っている。本実施の形態においては、制御部７は、具体的には、地図表示機能ｆ１、ＰＯＩアイコン設定機能ｆ２、ＰＯＩアイコン検索機能ｆ３、及びＰＯＩ情報表示機能ｆ４を具備している。
【００１７】
地図表示機能ｆ１は、表示部２に地図を表示する機能である。例えば、自車両の位置を中心とした地図を表示部２に表示したりする。
【００１８】
ＰＯＩアイコン設定機能ｆ２は、地図上に表示するＰＯＩアイコンを設定する機能である。本実施の形態では、ユーザが設定した、例えば、ガソリンスタンド、レストラン、駐車場、ホテル、銀行などの施設に関するＰＯＩアイコンを地図上に表示することが可能となっている。ＰＯＩアイコンの設定は、後述するＰＯＩアイコン設定画面において、予め用意されたＰＯＩアイコンリスト（複数の施設に関するＰＯＩアイコンの一覧リスト）の中から所望のＰＯＩアイコンを選択することにより行う。
【００１９】
ＰＯＩアイコン検索機能ｆ３は、ＰＯＩアイコン設定機能ｆ２で設定したＰＯＩアイコンの中から、ユーザによって選択された１つのＰＯＩアイコンを検索し、地図上に表示する機能である。例えば、あるハンバーガーショップのＰＯＩアイコンを選択した場合には、地図ＤＢ４を検索して選択したハンバーガーショップの存在位置を検索し、自車両を中心とした地図上に、選択したハンバーガーショップのＰＯＩアイコンを表示する。
【００２０】
ＰＯＩ情報表示機能ｆ４は、ＰＯＩアイコン検索機能ｆ３により、地図上に表示されたＰＯＩアイコンの中から１つのＰＯＩアイコンを選択した場合に、選択されたＰＯＩアイコンに関する情報を地図上に表示する機能である。ＰＯＩアイコンに関する情報とは、例えば、選択されたＰＯＩアイコンが示す施設の住所や電話番号、当該施設までのルート情報などである。
【００２１】
次に、図２〜図２４を用いて、本実施の形態に係るナビゲーション装置１の動作について説明する。ここで、図２及び図３は、ＰＯＩアイコンに関する設定・選択・検索処理の流れを示すフローチャートであり、図４は、図２のステップＳ５０のＰＯＩアイコン設定処理の流れを詳しく示すフローチャートである。また、図５〜図２２は、表示部２に表示されるナビゲーション画面例を示している。
【００２２】
まず、ナビゲーション装置１は、図５に示すように、表示部２に自車両１１を中心とした地図１０を表示する（ステップＳ１０）。なお、本実施の形態における表示部２は、図５に示すように、横長矩形の表示画面を備えている。
【００２３】
このような状態で、図６に示すように、ユーザの手Ｆが地図１０上の自車両１１に触れると、ナビゲーション装置１は、自車両１１の選択を検知し（ステップＳ２０）、ＰＯＩアイコン選択画面ｄ１０を表示する（ステップＳ３０）。
【００２４】
図７にＰＯＩアイコン選択画面ｄ１０を示す。ＰＯＩアイコン選択画面ｄ１０は、地図１０上に２つの円１２及び円弧１３を重ねて表示し、円１２及び円弧１３上には複数のアイコンを表示する画面となっている。すなわち、ＰＯＩアイコン選択画面ｄ１０は、自車両１１の位置を把握しつつ、アイコンを選択できる画面となっている。ユーザはこの表示されたアイコンの中から所望のアイコンを選択することができる。なお、ＰＯＩアイコン選択画面ｄ１０においては、表示されているアイコンの視認性及び自車両１１近傍の地図の視認性を高めるため、地図１０を、自車両１１の近傍を明るくし、自車両１１から離れるに従って徐々に暗く表示している。
【００２５】
ここで、円１２に表示されるアイコン１４（本実施の形態においては５つ）は、デフォルト設定されているアイコン（以下、デフォルトアイコン１４という）であり、ユーザによる追加・削除は不可となっている。デフォルトアイコン１４としては、例えば、行き先設定アイコン、登録地設定アイコン、お気に入り地点設定アイコンなどから構成される。
【００２６】
円弧１３に表示されるアイコン１５は、ＰＯＩアイコンであり、ユーザが任意に設定可能となっている。なお、本実施の形態においては、円弧１３の直径は、表示部２の表示画面の縦の長さよりも長いため、円弧１３は、図７に示すように、地図１０上において上下の一部が表示されない。そのため、左右に表示された円弧部分にユーザが設定したＰＯＩアイコン１５を表示するようになっている。本実施の形態においては、ＰＯＩアイコン選択画面ｄ１０において、８つまでのＰＯＩアイコン１５が表示可能である。
【００２７】
次いで、ＰＯＩアイコン選択画面ｄ１０を表示している状態で、図８に示すように、ユーザの手Ｆが地図１０の右下に表示された「Ｓｈｏｒｔｃｕｔ」ボタン１６に触れると、ナビゲーション装置１は、ＰＯＩアイコン１５の設定を行うと判断し（ステップＳ４０：ＹＥＳ）、ＰＯＩアイコン設定処理を行う（ステップＳ５０）。
【００２８】
ここで、図４を参照して、ＰＯＩアイコン設定処理を詳しく説明する。
【００２９】
まず、ナビゲーション装置１は、図９に示すようなＰＯＩアイコン設定画面ｄ２０を表示する（ステップＳ５１）。
【００３０】
ＰＯＩアイコン設定画面ｄ２０は、ＰＯＩアイコン１５が載った楕円１３（円弧１３が変形したもの）を畳重表示した地図１０と、スクロール部１７と、ＰＯＩアイコンリスト１８と、を備えている。すなわち、ＰＯＩアイコン設定画面ｄ２０は、自車両１１の位置を把握しつつ、ＰＯＩアイコン１５を設定できる画面となっている。
【００３１】
ＰＯＩアイコン設定画面ｄ２０の地図１０は、地図１０を斜め上方の視点から見た地図となっているため、ＰＯＩアイコン選択画面ｄ１０における円弧１３は、ＰＯＩアイコン設定画面ｄ２０においては楕円１３として表示される。詳しくは、ＰＯＩアイコン選択画面ｄ１０において、上下の一部が欠けた状態で表示されていた円弧１３は、ＰＯＩアイコン設定画面ｄ２０においては、円弧１３の全周が表示された楕円１３として表示され、さらに、楕円１３を横切る１対の平行線１９も表示される。ここで、１対の平行線１９は、ＰＯＩアイコン選択画面ｄ１０において表示された円弧１３の上下の境界線を示しており、１対の平行線１９の内側の領域が、ＰＯＩアイコン選択画面ｄ１０において円弧１３として表示される領域となっている。以下、楕円１３のうち、１対の平行線１９の内側の周上をＳ１、外側の周上をＳ２と称する。なお、ＰＯＩアイコン設定画面ｄ２０は、ＰＯＩアイコン１５の設定を主たる操作とするため、地図１０は、全体的に暗く表示され、地図１０全体に対する視認性を弱めている。
【００３２】
スクロール部１７は、右隣のＰＯＩアイコンリスト１８をスクロール表示させるための操作部で、図１０に示すように、上下にスクロール操作することで、ＰＯＩアイコンリスト１８を上下にスクロール表示させる。ＰＯＩアイコンリスト１８は、ユーザがＰＯＩアイコン１５を設定するために予め用意されたＰＯＩアイコン１５の一覧リストであり、このＰＯＩアイコンリスト１８の中から所望のＰＯＩアイコンを選択することにより、円弧１３上にＰＯＩアイコン１５を追加することが可能となっている。
【００３３】
次いで、ＰＯＩアイコン設定画面ｄ２０が表示されている状態で、ユーザがＰＯＩアイコン１５の追加操作をした場合には（ステップＳ５２）、ナビゲーション装置１は、円弧１３上にＰＯＩアイコンリスト１８の中から選択されたＰＯＩアイコン１５を追加表示する（ステップＳ５３）。
【００３４】
ここで、ＰＯＩアイコン１５の追加操作とは、具体的には、図１１に示すように、ＰＯＩアイコンリスト１８の中のひとつのＰＯＩアイコン１８に触れて、図１２に示すように、触れたＰＯＩアイコン１８（以下、ＰＯＩアイコンリスト１８において触れたＰＯＩアイコン１８を１８ａと表記する）を楕円１３の周上までドラッグすることである。なお、ＰＯＩアイコン１８ａは、楕円１３の周上であれば、周上Ｓ１でも周上Ｓ２のいずれでもよい。ＰＯＩアイコン１８ａを周上Ｓ１にドラッグした場合には、ＰＯＩアイコン選択画面ｄ１０の初期表示において、ＰＯＩアイコン１８ａは円弧１３上に表示されるが、ＰＯＩアイコン１８ａを周上Ｓ２にドラッグした場合には、ＰＯＩアイコン選択画面ｄ１０の初期表示において、ＰＯＩアイコン１８ａは円弧１３上に表示されない（後述する円弧１３の回転操作により、ＰＯＩアイコン１８ａは表示されこととなる）。図１２は、周上Ｓ２にＰＯＩアイコン１８ａをドラッグした場合を示している。また、ＰＯＩアイコン１５の追加表示とは、図１３に示すように、円弧１３の周上までドラッグされたＰＯＩアイコン１８ａをＰＯＩアイコン１５として表示することである。
【００３５】
一方、ＰＯＩアイコン設定画面ｄ２０が表示されている状態で、ユーザがＰＯＩアイコン１５の削除操作をした場合には（ステップＳ５４：ＹＥＳ）、ナビゲーション装置１は、円弧１３上から選択されたＰＯＩアイコン１５を削除表示する（ステップＳ５５）。ここで、ＰＯＩアイコン１５の削除操作とは、具体的には、楕円１３上に表示されたＰＯＩアイコン１５の１つに触れて、ＰＯＩアイコンリスト１８までドラッグすることである。また、ＰＯＩアイコン１５の削除表示とは、楕円１３上からＰＯＩアイコンリスト１８までドラッグされたＰＯＩアイコン１５を、楕円１３から削除して表示することである。
【００３６】
次いで、ＰＯＩアイコン設定画面ｄ２０が表示されている状態で、図１４に示すように、ユーザの手Ｆが、地図１０の下方に表示された「ＤＯＮＥ」ボタン２０に触れた場合には（ステップＳ５６：ＹＥＳ）、ナビゲーション装置１は、ＰＯＩアイコン設定処理の終了し、ＰＯＩアイコン選択画面ｄ１０を表示する。
【００３７】
このように、本実施の形態においては、ＰＯＩアイコン１５を設定する場合には、ＰＯＩアイコン設定画面ｄ２０を表示するが、ＰＯＩアイコン設定画面ｄ２０は、ＰＯＩアイコン選択画面ｄ１０とは全く別の画面ではなく、ＰＯＩアイコン選択画面ｄ１０の視点角度を変えた画面となっている。具体的には、ＰＯＩアイコン設定画面ｄ２０は、自車両１１を中心とした地図１０を表示するとともに、地図１０に重ねてＰＯＩアイコン１５を設定するための楕円１３を表示しているので、ユーザは、地図１０を閉じることなく、また、新たなメニュー画面を開くことなく、ＰＯＩアイコン１５を設定することができる。
【００３８】
また、ＰＯＩアイコン１５を設定する操作に関しても、楕円１３とＰＯＩアイコンリスト１８との間でＰＯＩアイコンのドラッグ操作を行えばよいので、ＰＯＩアイコンの設定を簡単に行うことができる。
【００３９】
さらには、ＰＯＩアイコン１５を楕円１３上に追加表示するに際にしても、周上Ｓ１またはＳ２の選択が可能なので、ユーザは、自分の好みに応じて、ＰＯＩアイコン設定画面ｄ２０におけるＰＯＩアイコン１５の初期表示を設定することができる。
【００４０】
次に、図２に戻り、ＰＯＩアイコン選択画面ｄ１０が表示された状態において、ユーザの手Ｆが、図１５に示すように、円弧１３に触れたまま円周上に沿ってドラッグ操作すると、ナビゲーション装置１は、ＰＯＩアイコン１３の回転操作ありと判断して（ステップＳ６０：ＹＥＳ）、図１６に示すようにＰＯＩアイコン１３の回転表示を行う（ステップＳ７０）。
【００４１】
ここで、図１５は、ユーザの手Ｆが円弧１３の右上部分に触れて、円弧１３を右回り２１に回転操作した場合を示しており、図１６は、図１５の回転操作を受けて、円弧１３が右回り２１に回転するので、円弧１３に載っているＰＯＩアイコン１５が右回り２１に回転する様子を示している。このＰＯＩアイコン１５の回転操作により、ＰＯＩアイコン設定画面ｄ２０において周上Ｓ２に存在したＰＯＩアイコン１５は、ＰＯＩアイコン選択画面ｄ１０の円弧１３上に表示され、また、円弧１３上に表示されていたＰＯＩアイコン１５は円弧１３上から消えることとなる。なお、図１５及び図１６においては、右回りの回転操作の場合を示したが、勿論、左回りの回転操作も可能である。
【００４２】
このように、本実施の形態においては、ユーザは、円弧１３を回転操作することにより、設定したＰＯＩアイコン１５の中から所望のＰＯＩアイコン１５を見つけることができる。特に、９つ以上のＰＯＩアイコン１５を設定し、設定したＰＯＩアイコン１５の一部が画面上に表示されず隠れている場合には、ＰＯＩアイコン１５の回転操作は便利である。
【００４３】
次に、ＰＯＩアイコン選択画面ｄ１０が表示された状態において、ユーザの手Ｆが、図１７に示すように、円弧１３上のＰＯＩアイコン１５のひとつに触れると（以下、ＰＯＩアイコン選択画面ｄ１０においてユーザが触れたＰＯＩアイコン１５をＰＯＩアイコン２２と表記する）、ナビゲーション装置１は、円弧１３上のＰＯＩアイコン２２の選択を検知するので（ステップＳ８０：ＹＥＳ）、選択されたＰＯＩアイコン２２に関するＰＯＩアイコン検索表示処理を行う（ステップＳ９０）。
【００４４】
ＰＯＩアイコン検索表示処理は、図１８に示すようなＰＯＩアイコン検索表示画面ｄ３０を表示して、円弧１３内の地図上に存在する、ＰＯＩアイコン２２が示す施設を検索し、検索した施設の位置上にＰＯＩアイコン２２（以下、円弧１３内に検索表示されたＰＯＩアイコン２２をＰＯＩアイコン２３と表記し、円弧１３上に表示されたＰＯＩアイコン２２と区別する）を表示する処理である。例えば、ＰＯＩアイコン２２が示す施設が「ＡＡＡレストラン」の場合には、円弧１３内の地図上に存在する「ＡＡＡレストラン」の場所を検索し、検索した「ＡＡＡコーヒー」の場所を地図上にＰＯＩアイコン２３として表示する。なお、ＰＯＩアイコン検索表示画面ｄ３０においては、円弧内１３の地図の視認性を高めるため、円弧１３内を明るく表示して、円弧１３外を暗く表示する。
【００４５】
ここで、ＰＯＩアイコン検索表示画面ｄ３０は、自車両１１を中心とした地図１０上に、円弧１３を表示するとともに、円弧１３の線上（本実施の形態においては、右側の円周上）に選択されたＰＯＩアイコン２２、ＰＯＩアイコン２２の左右に縮尺変更ボタン２４及び２５をそれぞれ表示する一方、円弧１３内にＰＯＩアイコン２３を表示する画面である。ＰＯＩアイコン検索表示画面ｄ３０は、自車両１１の位置を把握しつつ、ＰＯＩアイコン２２の検索処理が行える画面である。ここで、円弧１３は、検索地域（検索範囲）を示すパラメータとなっており、本実施の形態においては、円弧１３内を検索範囲として、ＰＯＩアイコン２２が示す施設を検索するようになっている。なお、図１８に示すＰＯＩアイコン検索表示画面ｄ３０においては、円弧１３以内に３つのＰＯＩアイコン２３が表示されている。
【００４６】
また、縮尺変更ボタン２４は、現在の縮尺よりも縮尺を小さくするボタンであり、縮尺変更ボタン２５は、現在の縮尺よりも縮尺を大きくするボタンである。すなわち、縮尺変更ボタン２４または２５を操作することにより、円弧１３内の地図領域は変更されるので、ＰＯＩアイコン検索処理の検索範囲が変更されることとなる。
【００４７】
このように本実施の形態においては、円弧１３は、ＰＯＩアイコン選択画面ｄ１０においては、ＰＯＩアイコン１５を選択するための選択環状リストである一方、ＰＯＩアイコン検索表示画面ｄ３０においては、ＰＯＩアイコン２２の検索範囲を示すパラメータろなっている。なお、ＰＯＩアイコン選択画面ｄ１０からＰＯＩアイコン検索表示画面ｄ３０への画面遷移は、図１７及び図１８に示すように、画面全体としては略同一の画面を表示しつつ、その機能を移行させているので、ユーザは違和感なく操作が可能である。すなわち、地図１０を閉じることなく、また、新たなメニュー画面を表示させることなく、選択したＰＯＩアイコン２２の検索が可能である。
【００４８】
次に、ＰＯＩアイコン検索表示画面ｄ３０が表示された状態において、ユーザが、縮尺変更ボタン２４または２５を操作した場合には、ナビゲーション装置１は、地図縮尺率の変更操作があったことを検知するので（ステップＳ１００：ＹＥＳ）、変更された縮尺で地図１０を再表示し（ステップＳ１１０）、上述したＰＯＩアイコン検索表示処理を再度行う（ステップＳ９０）。
【００４９】
図１９は、ユーザが、縮尺変更ボタン２４を操作して、縮尺を小さくした場合のＰＯＩアイコン検索表示画面ｄ３０を示しており、図２０は、図１９に示す縮尺変更操作をした場合の検索結果を示すＰＯＩアイコン検索表示画面ｄ３０を示している。図１９及び図２０に示すように、地図１０の縮尺が変更されることにより、円弧１３内に表示されるＰＯＩアイコン２３の数が３から５に増えている。
【００５０】
このように本実施の形態においては、縮尺変更ボタン２４または２５を操作することで、簡単にＰＯＩアイコン２３の検索範囲を変更することができる。
【００５１】
次に、ＰＯＩアイコン検索表示画面ｄ３０が表示された状態において、ユーザが、図２１に示すように、ＰＯＩアイコン２３のひとつに触れた場合には、ナビゲーション装置１は、ＰＯＩアイコン２３の選択を検知し（ステップＳ１２０：ＹＥＳ）、図２２に示すように、選択されたＰＯＩアイコン２３（以下、円弧１３内で選択されたＰＯＩアイコン２３を２３ａと表記する）に関する情報を地図１０に表示する（ステップＳ１３０）。なお、地図１０上にＰＯＩアイコン２３ａに関する情報を表示する画面をＰＯＩ情報表示画面ｄ４０という。
【００５２】
ここで、選択されたＰＯＩアイコン２３ａに関する情報とは、図２２に示すように、例えば、選択されたＰＯＩアイコン２３ａが示す施設の店舗情報２６であり、店舗情報２６とは、具体的には、住所や電話番号などである。
【００５３】
なお、ＰＯＩ情報表示画面ｄ４０において、図２３に示すように、地図１０の下部に表示された「ＧＯＴＯ」ボタン２７を操作した場合には、ナビゲーション装置１は、図２４に示すように、自車両１１の位置からＰＯＩアイコン２３ａが示す施設の位置までのルート情報２８及び２９を地図１０上に表示する。すなわち、アイコン２３ａに関する情報としては、店舗情報２６のほか、図２４に示すような、自車両１１の位置からＰＯＩアイコン２３ａが示す施設の位置までのルート情報２８及び２９も含むものである。
【００５４】
以上、述べたように本実施の形態のカーナビゲーション装置１によれば、ＰＯＩアイコン選択画面ｄ１０、ＰＯＩアイコン設定画面ｄ２０、ＰＯＩアイコン検索表示画面ｄ３０、及びＰＯＩ情報表示画面ｄ４０を備えているので、地図を閉じることなく、また、新たにメニュー画面を開くことなく、所望のＰＯＩに関する情報を表示させることができる。
【００５５】
なお、本実施の形態においては、ＰＯＩアイコン検索表示画面ｄ３０において、縮尺変更ボタン２４または２５を操作することにより、地図１０の縮尺が変更されたが、これとは別に、地図１０上に表示される円弧１３の大きさを変更することにより、検索範囲を変更するようにしてもよい。この場合には、今よりも広い検索範囲の中からＰＯＩアイコン２３を検索したい場合には、円弧１３を外側に広げ、今よりも狭い検索範囲の中からＰＯＩアイコン２３を検索したい場合には、円弧１３を内側に縮めればよい。
【００５６】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【符号の説明】
【００５７】
１  ナビゲーション装置
２  表示部
３  音声出力部
４  地図ＤＢ
５  入力部
６  現在地検出部
７  制御部
１０  地図
１１  自車両
１２，１３  円弧
１５，１８ａ，２２，２３  ＰＯＩアイコン
１８  ＰＯＩアイコンリスト
２４，２５  縮尺変更ボタン
２６  店舗情報
２８，２９  ルート情報
５１  タッチパネル
６１  ジャイロセンサ
６２  車速センサ
６３  ＧＰＳセンサ
ｆ１  地図表示機能
ｆ２  ＰＯＩアイコン設定機能
ｆ３  ＰＯＩアイコン検索機能
ｆ４  ＰＯＩ情報表示機能
ｄ１０  ＰＯＩアイコン選択画面
ｄ２０  ＰＯＩアイコン設定画面
ｄ３０  ＰＯＩアイコン検索表示画面
ｄ４０  ＰＯＩ情報表示画面
【図１】
2010146685.tif 000003
【図２】
2010146685.tif 000004
【図３】
2010146685.tif 000005
【図４】
2010146685.tif 000006
【図５】
2010146685.tif 000007
【図６】
2010146685.tif 000008
【図７】
2010146685.tif 000009
【図８】
2010146685.tif 000010
【図９】
2010146685.tif 000011
【図１０】
2010146685.tif 000012
【図１１】
2010146685.tif 000013
【図１２】
2010146685.tif 000014
【図１３】
2010146685.tif 000015
【図１４】
2010146685.tif 000016
【図１５】
2010146685.tif 000017
【図１６】
2010146685.tif 000018
【図１７】
2010146685.tif 000019
【図１８】
2010146685.tif 000020
【図１９】
2010146685.tif 000021
【図２０】
2010146685.tif 000022
【図２１】
2010146685.tif 000023
【図２２】
2010146685.tif 000024
【図２３】
2010146685.tif 000025
【図２４】
2010146685.tif 000026
【国際調査報告】
2010146685.tif 000027
2010146685.tif 000028
2010146685.tif 000029